【手続補正書】
【提出日】平成16年10月15日(2004.10.15)
【手続補正１】
【補正対象書類名】特許請求の範囲
【補正対象項目名】全文
【補正方法】変更
【補正の内容】
【特許請求の範囲】
【請求項１】
第１の色空間によって表されていると共に、所定の色空間の表色域内の表色値である第１の正の表色値と、前記所定の色空間の表色域外の表色値である第２の正の表色値および負の表色値の少なくともいずれか一方を含む画像データを用いて画像処理を実行する画像処理装置であって、
前記画像データを取得する画像データ取得手段と、
前記第１および第２の正の表色値並びに前記負の表色値を用いて、前記画像データの色空間を前記第１の色空間から、前記所定の色空間よりも広く、前記第２の表色値および前記負の表色値の少なくとも一方をその表色域に含む第２の色空間に変換する色空間変換手段とを備える画像処理装置。
【請求項２】
請求項１に記載の画像処理装置はさらに、
前記画像データが前記第１および第２の正の表色値を有する場合には第１のガンマ補正値を用い、前記画像データが負の表色値を有する場合には前記第１のガンマ補正値とは異なる第２のガンマ補正値を用いて、前記画像データに対するガンマ補正を実行するガンマ補正手段を備えることを特徴とする画像処理装置。
【請求項３】
請求項１または請求項２に記載の画像処理装置はさらに、
前記画像処理が実行された画像データを印刷媒体上に印刷する印刷手段を備えることを特徴とする画像処理装置。
【請求項４】
請求項１ないし請求項３のいずれかに記載の画像処理装置において、
前記画像データと前記使用情報とは、同一の画像ファイル内に格納されていることを特徴とする画像処理装置。
【請求項５】
画像データの画像処理方法であって、
第１の色空間に基づく前記画像データを取得し、その取得した画像データの色空間を前記第１の色空間から第２の色空間に変換し、
前記変換された画像データについての前記第２の色空間を定義する領域内および領域外の情報を保持し、
前記保持した情報を反映させて、前記第２の色空間によって表現されている画像データの色空間を前記第２の色空間よりも広い定義領域を有する第３の色空間に変換する
画像データの画像処理方法。
【請求項６】
請求項５に記載の画像処理方法において、
前記第２の色空間を定義する領域の情報は、第１の正の領域値で表され、前記第２の色空間を定義する領域外の情報は、前記第１の正の領域値を超える第２の正の領域値、および負の領域値で表されることを特徴とする画像処理方法。
【請求項７】
請求項６に記載の画像処理方法はさらに、
前記画像データが前記第１の正の領域値を有する場合には第１のガンマ補正値を用い、前記画像データが負の領域値を有する場合には前記第１のガンマ補正値とは異なる第２のガンマ補正値を用いて、前記画像データに対するガンマ補正を実行する画像処理方法。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】変更
【補正の内容】
【００２３】
上記課題を解決するために本発明の第１の態様は、第１の色空間によって表されていると共に、所定の色空間の表色域内の表色値である第１の正の表色値と、前記所定の色空間の表色域外の表色値である第２の正の表色値および負の表色値の少なくともいずれか一方を含む画像データを用いて画像処理を実行する画像処理装置を提供する。本発明の第２の態様に係る画像処理装置は、前記画像データを取得する画像データ取得手段と、前記第１および第２の正の表色値並びに前記負の表色値を用いて、前記画像データの色空間を前記第１の色空間から、前記所定の色空間よりも広く、前記第２の表色値および前記負の表色値の少なくとも一方をその表色域に含む第２の色空間に変換する色空間変換手段とを備えることを特徴とする。
【手続補正１６】
【補正対象書類名】明細書
【補正対象項目名】００２４
【補正方法】変更
【補正の内容】
【００２４】
本発明の第１の態様に係る画像処理装置によれば、画像データ色空間を、第１および第２の正の表色値並びに負の表色値を用いて、第２の表色値および負の表色値の少なくとも一方をその表色域に含む第２の色空間に変換するので、画像データ生成時に画像データに含まれていた表色値を利用して画像データを正確に再現することができる。
【手続補正１７】
【補正対象書類名】明細書
【補正対象項目名】００２５
【補正方法】変更
【補正の内容】
【００２５】
本発明の第１の態様に係る画像処理装置は、このほかにも、種々の態様にて実現され得る。
【手続補正１８】
【補正対象書類名】明細書
【補正対象項目名】００２６
【補正方法】変更
【補正の内容】
【００２６】
本発明の第１の態様に係る画像処理装置はさらに、前記画像処理が実行された画像データを印刷媒体上に印刷する印刷手段を備えても良い。かかる場合には、画像処理を施した画像データを出力することができる。また、前記画像データと前記使用情報とは、同一の画像ファイル内に格納されていても良い。かかる場合には、画像ファイル単位にて画像データと使用情報とを取り扱うことができるので、画像データと使用情報との関連づけを容易化することができる。
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】削除
【補正の内容】
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】変更
【補正の内容】
【００３８】
本発明の第２の態様は、画像データの画像処理方法を提供する。本発明の第８の態様に係る画像処理方法は、第１の色空間に基づく前記画像データを取得し、その取得した画像データの色空間を前記第１の色空間から第２の色空間に変換し、前記変換された画像データについての前記第２の色空間を定義する領域内および領域外の情報を保持し、前記保持した情報を反映させて、前記第２の色空間によって表現されている画像データの色空間を前記第２の色空間よりも広い定義領域を有する第３の色空間に変換することを特徴とする。
【手続補正３１】
【補正対象書類名】明細書
【補正対象項目名】００３９
【補正方法】変更
【補正の内容】
【００３９】
本発明の第２の態様に係る方法によれば、本発明の第１の態様に係る画像処理装置と同様の作用効果を得ることができる。また、本発明の第２の態様に係る方法は、本発明の第１の態様に係る画像処理装置と同様にして種々の態様にて実現され得る。
【手続補正３２】
【補正対象書類名】明細書
【補正対象項目名】００４０
【補正方法】削除
【補正の内容】
【手続補正３３】
【補正対象書類名】明細書
【補正対象項目名】００４１
【補正方法】削除
【補正の内容】